(57)【要約】【課題】汎用性が高く、良好な遠隔操作性を確保できる電子ボリューム制御装置およびそのリモートコントローラを提供する。【解決手段】帯無線端末１３の対応関係記憶部１３２には共通音量値Ｄｃｏｍと固有音量値Ｄｖｏｌ１との対応関係が記憶されている。現在音量値記憶部１３１には共通音量値Ｄｃｏｍが記憶される。電子ボリューム３７の減衰率は共通音量値Ｄｃｏｍに基づいて制御される。音量値変換部１３３は音量スイッチ３９の音量操作に応答して、現在音量値記憶部１３１に記憶されている共通音量値Ｄｃｏｍを、対応関係記憶部１３２に登録された対応関係に基づいて増減させる。音量値更新部１３４は、増減後の共通音量値Ｄｃｏｍを現在音量値記憶部１３１に更新登録する。音量値通知部１３５は、増減後の共通音量値Ｄｃｏｍを端末１４へ通知する。【選択図】　　　　図４
2004112677.tif 000002
【特許請求の範囲】
【請求項１】
リモートコントローラにより遠隔操作される電子ボリューム制御装置において、
Ｎ段階の共通スケールでｉ番目の共通音量値Ｄｃｏｍ［ｉ］とＭ段階の固有スケールでｊ番目の固有音量値Ｄｖｏｌ１［ｊ］との対応関係を管理する手段と、
リモートコントローラから共通音量値Ｄｃｏｍを受信する手段と、
前記共通音量値Ｄｃｏｍを記憶する手段と、
前記記憶された共通音量値Ｄｃｏｍに基づいて減衰率を制御される電子ボリュームと、
前記固有スケール上で固有音量値Ｄｖｏｌ１を指示する音量スイッチと、
前記指示された固有音量値Ｄｖｏｌ１を、前記対応関係に基づいて共通音量値Ｄｃｏｍに変換する手段と、
前記変換後の共通音量値Ｄｃｏｍを前記記憶手段に更新登録する手段とを含むことを特徴とする電子ボリューム制御装置。
【請求項２】
前記変換後の共通音量値Ｄｃｏｍをリモートコントローラへ通知する手段をさらに含むことを特徴とする請求項１に記載の電子ボリューム制御装置。
【請求項３】
前記音量スイッチは、固有音量値Ｄｖｏｌ１を増加させる第１スイッチおよび減少させる第２スイッチを含み、
前記変換手段は、
第１スイッチの操作に応答して、Ｍ個の固有音量値Ｄｖｏｌ１の中から、その対応共通音量値Ｄｃｏｍが現在の共通音量値Ｄｃｏｍと増側で最も接近した固有音量値Ｄｖｏｌ１を選択する手段と、
第２スイッチの操作に応答して、Ｍ個の固有音量値Ｄｖｏｌ１の中から、その対応共通音量値Ｄｃｏｍが現在の共通音量値Ｄｃｏｍと減側で最も接近した固有音量値Ｄｖｏｌ１を選択する手段と、
前記選択された固有音量値Ｄｖｏｌ１を共通音量値Ｄｃｏｍに変換する手段とを含むことを特徴とする請求項１または２に記載の電子ボリューム制御装置。
【請求項４】
電子ボリューム制御装置を遠隔操作するリモートコントローラにおいて、
Ｎ段階の共通スケールでｉ番目の共通音量値Ｄｃｏｍ［ｉ］とＬ段階の固有スケールでｋ番目の固有音量値Ｄｖｏｌ２［ｋ］との対応関係を管理する手段と、
現在の共通音量値Ｄｃｏｍを記憶する手段と、
前記固有スケール上で固有音量値Ｄｖｏｌ２を指示する音量スイッチと、
前記指示された固有音量値Ｄｖｏｌ２を、前記対応関係に基づいて共通音量値Ｄｃｏｍに変換する手段と、
前記変換後の共通音量値Ｄｃｏｍを前記記憶手段に更新登録する手段と、
前記変換後の共通音量値Ｄｃｏｍを電子ボリューム制御装置へ送信する手段とを含むことを特徴とする電子ボリューム制御装置のリモートコントローラ。
【請求項５】
電子ボリューム制御装置から共通音量値Ｄｃｏｍを受信する手段と、
前記受信した共通音量値Ｄｃｏｍを前記記憶手段に更新登録する手段とをさらに含むことを特徴とする請求項４に記載の電子ボリューム制御装置のリモートコントローラ。
【請求項６】
前記音量スイッチは、音量値を増加させる第１スイッチおよび音量値を減少させる第２スイッチを含み、
前記変換手段は、
第１スイッチの操作に応答して、Ｌ個の固有音量値Ｄｖｏｌ２の中から、その対応共通音量値Ｄｃｏｍが現在の共通音量値Ｄｃｏｍと増側で最も接近した固有音量値Ｄｖｏｌ２を選択する手段と、
第２スイッチの操作に応答して、Ｌ個の固有音量値Ｄｖｏｌ２の中から、その対応共通音量値Ｄｃｏｍが現在の共通音量値Ｄｃｏｍと減側で最も接近した固有音量値Ｄｖｏｌ２を選択する手段と、
前記選択された固有音量値Ｄｖｏｌ２を共通音量値Ｄｃｏｍに変換する手段とを含むことを特徴とする請求項４または５に記載の電子ボリューム制御装置のリモートコントローラ。
【発明の詳細な説明】
【０００１】
【発明の属する技術分野】
本発明は、リモートコントローラにより遠隔操作される電子ボリューム制御装置およびそのリモートコントローラに係り、特に、ブルー・トゥースの標準仕様で定義された音量調節信号に基づいて遠隔操作される電子ボリューム制御装置およびそのリモートコントローラに関する。
【０００２】
【従来の技術】
リモートコントローラ（以下、リモコンと表現する）に設けられた音量調整キーを操作することにより、音響再生機に搭載されている電子ボリュームを遠隔操作する技術が、例えば特開平５−３０８２３０号公報に開示されている。リモコンには音量調整キーとして「＋（プラス）」キーおよび「−（マイナス）」キーが設けられ、音量を最低レベルまで一気に減衰させる「ＭＵＴＥ」キーが更に設けられる場合もある。
【０００３】
一方、世界的な通信規格であるブルー・トゥース（Ｂｌｕｅ　ｔｏｏｔｈ）では、頭部に装着する音響再生機すなわちヘッドセットの音量を、これと無線接続された携帯電話等の音源（ＡｕｄｉｏＧａｔｅｗａｙ）側から遠隔操作するための規格が設定されている。この規格では、音量調節段階数として「０」から「１５」までの１６段階が用意されている。
【０００４】
ここで、例えばテレビとそのリモコンとの間での音量調節では、リモコンからテレビに対して絶対的な音量値が指示されるわけではなく、音量を「一段階上げる」、「一段階下げる」といったように、現在の音量を相対的に変化させる信号が出力される。これに対して、ブルー・トゥース規格に準拠した再生機とリモコン（音源）は、１６段階の音量値を相互に通知し合うことで現在の音量値を認識し合い、現在の音量値が「８」のときにリモコンの「＋」ボタンが押下されれば、リモコンから再生機側へは音量値「９」が指示される。また、再生機側で音量値が「９」から「１０」へ変更されれば、その情報がリモコンへも通知される。したがって、次にリモコン側で「＋」ボタンが押下されれば、リモコンから再生機側へは音量値「１１」が指示される。
【０００５】
【発明が解決しようとする課題】
ヘルメットに設けたヘッドセットの電子ボリュームを車体側リモコンあるいは携帯端末で遠隔操作する場合、ヘッドセットの電子ボリュームは、グローブを装着した状態での操作を考慮すれば、音量調節段階数を減らして簡便化することが望ましい。例えば「ミュート」、「停車時用の小音量」、「低中速時用の中音量」および「高速時用の大音量」といった４段階程度に絞り込むことが望ましい。しかしながら、再生機の音量調節段階数を減じると、以下のような不具合が新たに生じ得る。
【０００６】
図１１において、リモコンの音量調節段階数を、再生機Ａの音量調節段階数「４」に合わせて４段階に減じてしまうと、このリモコンで音量調節段階数が「１０」の再生機Ｂを遠隔操作しても、音量値「５」〜「１０」に対応した信号を出力できないので、再生機Ｂの音量を十分に上げることができない。
【０００７】
一方、このような技術課題に対処すべく、図１２に示したように、リモコン側の各音量調節段階「１」〜「４」に、それぞれ音量値を不連続に割り当てた場合、再生機Ａのように、音量値が各音量調節段階に対して同様に割り当てられていれば良いが、再生機Ｂのように音量調節段階数が「１０」であると、リモコンでは設定できない音量値が存在してしまう。また、再生機Ｃのように音量調節段階が一致していないと、リモコンによる遠隔操作が不能となってしまう。
【０００８】
さらに、図１３に示したように、リモコン側の音量調節段階数が「１６」である場合、音量調節段数が「４」の再生機Ａでは、リモコン側から「１」〜「４」の範囲で音量値が指示されている限りは、指示された音量値に電子ボリュームを制御できる。しかしながら、音量値「４」を超えて「＋」キーが押下され続け、例えば音量値が「８」まで上昇してしまうと、その後、音量を下げるためにリモコンの「−」キーが押下されても、その都度、音量値として「７」、「６」、「５」が通知され、この間は音量値が下がらないので、「−」キーを押下しているにもかかわらず音量が低下しないという不都合が生じる。
【０００９】
また、再生機Ｂのように、音量調節段数が「４」であっても音量値が不連続に割り当てられていると、例えばリモコン側から音量値「５」を通知した後、さらに「＋」キーを押下し続けても、音量値が「１０」に達するまでは音量が上昇しないという不都合が生じる。このような不都合は、再生機Ｃのように音量調節段数を増やしても同様に生じる。
【００１０】
このように、再生機の音量調節段階数をブルー・トゥース標準仕様である「１６」よりも減じてしまうと、リモコンによる操作性が損なわれてしまうという技術課題があった。
【００１１】
なお、このような技術課題は再生機の音量調節段階数に適用した専用リモコンを別途に用意すれば解決されるが、機器の汎用性が損なわれて他の機器との組み合わせに支障をきたすので、汎用性を重視するブルー・トゥースの概念にそぐわない。
【００１２】
本発明の目的は、上記した従来技術の課題を解決し、良好な遠隔操作性を確保できる電子ボリューム制御装置およびそのリモートコントローラを提供することにある。
【００１３】
【課題を解決するための手段】
上記した目的を達成するために、本発明は、リモートコントローラにより遠隔操作される電子ボリューム制御装置およびそのリモートコントローラにおいて、以下のような手段を講じた点に特徴がある。
【００１４】
（１）本発明の電子ボリューム制御装置は、Ｎ段階の共通スケールでｉ番目の共通音量値Ｄｃｏｍ［ｉ］（ｉ＝１〜Ｎ）とＭ段階の固有スケールでｊ番目の固有音量値Ｄｖｏｌ１［ｊ］（ｊ＝１〜Ｍ）との対応関係を管理する手段と、リモートコントローラから共通音量値Ｄｃｏｍを受信する手段と、前記共通音量値Ｄｃｏｍを記憶する手段と、前記共通音量値Ｄｃｏｍに基づいて減衰率を制御される電子ボリュームと、前記固有スケール上で固有音量値Ｄｖｏｌ１を指示する音量スイッチと、前記指示された固有音量値Ｄｖｏｌ１を、前記対応関係に基づいて共通音量値Ｄｃｏｍに変換する手段と、前記変換後の共通音量値Ｄｃｏｍを前記記憶手段に更新登録する。
【００１５】
（２）本発明のリモートコントローラは、Ｎ段階の共通スケールでｉ番目の共通音量値Ｄｃｏｍ［ｉ］（ｉ＝１〜Ｎ）とＬ段階の固有スケールでｋ番目の固有音量値Ｄｖｏｌ２［ｋ］（ｋ＝１〜Ｌ）との対応関係を管理する手段と、現在の共通音量値Ｄｃｏｍを記憶する手段と、前記固有スケール上で固有音量値Ｄｖｏｌ２を指示する音量スイッチと、前記指示された固有音量値Ｄｖｏｌ２を、前記対応関係に基づいて共通音量値Ｄｃｏｍに変換する手段と、前記変換後の共通音量値Ｄｃｏｍを前記記憶手段に更新登録する手段と、前記変換後の共通音量値Ｄｃｏｍを電子ボリューム制御装置へ送信する手段とを含むことを特徴とする。
【００１６】
上記した特徴（１）によれば、リモートコントローラからは、電子ボリュームの減衰率が共通スケール上の音量値Ｄｃｏｍで指示される。電子ボリューム制御装置では、電子ボリュームの減衰率が固有スケール上の音量値Ｄｖｏｌ１で指示されるが、この固有音量値Ｄｖｏｌ１は共通音量値Ｄｃｏｍに変換され、電子ボリュームの減衰率は共通音量値Ｄｃｏｍに基づいて制御される。したがって、電子ボリューム制御装置は、自装置やリモートコントローラの汎用性を確保しながら、音量調節に関して固有スケールを採用できる。
【００１７】
上記した特徴（２）によれば、リモートコントローラでは、電子ボリュームの減衰率を固有スケール上の音量値Ｄｖｏｌ２で指示できるが、この固有音量値Ｄｖｏｌ１は共通音量値Ｄｃｏｍに変換されたのち、電子ボリューム制御装置へ送信される。電子ボリューム制御装置では、電子ボリュームの減衰率が共通音量値Ｄｃｏｍに基づいて制御されるので、リモートコントローラでは、自装置や電子ボリューム制御装置の汎用性を確保しながら、音量調節に関して固有スケールを採用できる。
【００１８】
【発明の実施の形態】
以下、図面を参照して本発明の好ましい実施の形態について詳細に説明する。図１は、本発明を適用したインターコムによる通信形態の一例を示した図であり、車両Ａには、本発明のリモートコントローラとしての車載無線端末１４が搭載されている。各車両Ａ，Ｂの乗員が装着するヘルメット１ａ，１ｂ，１ｃには、マイク１１，スピーカ１２と共に、本発明の電子ボリューム制御装置としての携帯無線端末１３を含むヘッドセットが装着されている。
【００１９】
前記車載無線端末１４および各携帯無線端末１３はブルートゥースの規格に準拠し、これらを収容端末とするピコネット上で、車載無線端末１４がマスタモード、他の携帯無線端末１３がスレーブモードで動作しながら相互に無線通信を行う。
【００２０】
図２は、本発明の電子ボリューム制御装置としての携帯無線端末１３の主要部の構成を示したブロック図であり、ここでは、本発明の説明に不要な構成の記述は省略している。
【００２１】
アンテナＡＴはブルートゥース（ＢＴ）モジュールと接続されている。ＣＰＵ３３は、ＲＯＭ３４に記憶されているプログラムに従って各種の処理を実行する。ＲＡＭ３５は、ＣＰＵ３３が各種の処理を実行する際にデータなどを一時記憶するためのワークエリアを提供する。インターフェース３６には、音量スイッチ３９を含む各種の操作スイッチや表示装置が接続される。音量スイッチ３９は、少なくとも「＋」キー３９ａおよび「−」キー３９ｂを含む。電子ボリューム３７は、音量スイッチ３９の操作に応じた減衰率で入力信号を減衰し、これを増幅器３８へ出力する。
【００２２】
ＢＴモジュールは、ＲＦユニット３１およびＢＴチップ３２を主要な構成とする。ＢＴチップ３２は、相手端末との間にピコネット内同期を確立する処理や、送受信信号の符号化／復号化処理等を実行する。すなわち、各ＢＴモジュールは送信時に搬送波信号を送信データでデジタル変調し、その被変調搬送波信号を周波数ホッピングによりスペクトラム拡散する。そして、この送信信号を規定値以下の送信出力レベルに増幅した後、アンテナＡＴから通信相手の無線端末に向け送信する。また、通信相手の無線端末から到来した無線信号をアンテナＡＴを介して受信し、これをスペクトラム逆拡散した後にディジタル復調する。
【００２３】
図３は、本発明のリモートコントローラとしての車載無線端末１４の主要部の構成を示したブロック図であり、前記携帯無線端末１３と比較すると、スピーカ１２，電子ボリューム３７および増幅器３８が省略されている。
【００２４】
図４（ａ）は、前記携帯無線端末１３の機能ブロック図、同図（ｂ）は車載無線端末１４の機能ブロック図であり、前記と同一の符号は同一または同等部分を表している。
【００２５】
図４（ａ）において、携帯無線端末１３の対応関係記憶部１３２は前記ＲＯＭ３４の一機能であり、ここには、共通音量値Ｄｃｏｍと固有音量値Ｄｖｏｌ１との対応関係が予め記憶されている。前記共通音量値Ｄｃｏｍは、ブルートゥースの標準規格である１６段音量スケール上で定義される音量値であり、Ｄｃｏｍ［０］〜Ｄｃｏｍ［１５］の１６段階のいずれかを採り得る。前記固有音量値Ｄｖｏｌ１は、当該携帯無線端末１３に固有の音量スケール上で定義される音量値であり、Ｄｖｏｌ１［１］〜Ｄｖｏｌ１［ｍ］のＭ段階のいずれかを採り得る。本実施形態では、携帯無線端末１３が４段階の固有スケールを採用しているので、音量値はＤｖｏｌ１［１］〜Ｄｖｏｌ１［４］の４段階のいずれかを採り得る。
【００２６】
現在音量値記憶部１３１は前記ＲＡＭ３５の一機能であり、ここには、車載無線端末１４から無線通信により通知される共通音量値Ｄｃｏｍ、あるいは自端末１３の音量操作により設定された共通音量値Ｄｃｏｍが記憶される。電子ボリューム３７の減衰率は、前記共通音量値Ｄｃｏｍに基づいて制御される。
【００２７】
音量値変換部１３３は前記ＣＰＵ３３の一機能であり、音量スイッチ３９の音量操作に応答して、前記現在音量値記憶部１３１に記憶されている共通音量値Ｄｃｏｍを、前記対応関係記憶部１３２に登録された対応関係に基づいて増減させる。音量値更新部１３４は、増減後の共通音量値Ｄｃｏｍを現在音量値記憶部１３１に更新登録する。音量値通知部１３５は、増減後の共通音量値Ｄｃｏｍを車載無線端末１４へ通知する。
【００２８】
図４（ｂ）において、車載無線端末１４の対応関係記憶部１４１は前記ＲＯＭ４４の一機能であり、共通音量値Ｄｃｏｍと固有音量値Ｄｖｏｌ２との対応関係が記憶されている。前記共通音量値Ｄｃｏｍは、ブルートゥースの標準規格である１６段音量スケール上で定義される音量値であり、Ｄｃｏｍ［０］〜Ｄｃｏｍ［１５］の１６段階のいずれかを採り得る。前記固有音量値Ｄｖｏｌ２は、当該端末１４に固有のＬ段階音量スケール上で定義される音量値であり、本実施形態では、Ｄｖｏｌ２［１］〜Ｄｖｏｌ２［７］の７段階のいずれかを採り得る。
【００２９】
現在音量値記憶部１４１は前記ＲＡＭ４５の一機能であり、ここには、携帯無線端末１３から通知される共通音量値Ｄｃｏｍ、あるいは自端末１４の音量操作により設定された共通音量値Ｄｃｏｍが記憶される。
【００３０】
音量値変換部１４３は前記ＣＰＵ４３の一機能であり、音量スイッチ４９の音量操作に応答して、前記現在音量値記憶部１４１に記憶されている共通音量値Ｄｃｏｍを、前記対応関係記憶部１４２に登録された対応関係に基づいて増減させる。音量値更新部１４４は、増減後の共通音量値Ｄｃｏｍを現在音量値記憶部１４１に更新登録する。音量値通知部１４５は、増減後の共通音量値Ｄｃｏｍを携帯無線端末１３へ通知する。
【００３１】
次いで、図５、６のフローチャートを同時に参照しながら、本実施形態の動作を詳細に説明する。図５は、前記携帯無線端末１３の動作を示し、図６は、前記車載無線端末１４の動作を示している。
【００３２】
図５において、携帯無線端末１３では、ステップＳ１１において現在、音量値記憶部１３１から現在の共通音量値Ｄｃｏｍが読み出されて電子ボリューム３７へ通知される。ステップＳ１２では、前記読み出された共通音量値Ｄｃｏｍに基づいて電子ボリューム３７の減衰率が制御される。したがって、ヘッドセットのスピーカ１２から出力される再生音量は共通量値Ｄｃｏｍに基づいて制限されることになる。ステップＳ１３では、前記読み出された共通音量値Ｄｃｏｍ　が、音量値通知部１３５から車載無線端末１４へ初期値として通知される。
【００３３】
図６において、車載無線端末１４は、ステップＳ３１において前記共通音量値Ｄｃｏｍを携帯無線端末１３から受信すると、ステップＳ３２において、この共通音量値Ｄｃｏｍを現在音量値記憶部１４１に新規登録する。ステップＳ３３では、自端末１４の音量スイッチ４９が操作されたか否かが判定され、音量操作が検知されなければステップＳ３４へ進む。ステップＳ３４では、携帯無線端末１３から送信される共通音量値Ｄｃｏｍの受信の有無が判定され、受信されていなければステップＳ３３へ戻る。
【００３４】
図５へ戻り、携帯無線端末１３でも、前記ステップＳ１３において共通音量値Ｄｃｏｍの初期値を通知した後、ステップＳ１４において、自端末の音量スイッチ３９が操作されたか否かが判定される。音量操作が検知されると、ステップＳ１７では、前記現在音量値記憶部１３１に登録されている共通音量値Ｄｃｏｍを、前記音量操作に応答して、音量値変換部１３３が前記対応関係記憶部１３２を参照しながら増減する「音量値増減処理」が実行される。
【００３５】
図７は、前記「音量値増減処理」の一実施形態の動作を示したフローチャートであり、ここでは、図８，９，１０に関して詳述するように、現在の共通音量値Ｄｃｏｍが［９］の状態から音量スイッチ３９が増操作（図８）された場合、および減操作（図９）された場合を例にして、その動作を説明する。
【００３６】
図８，９，１０に示したように、本実施形態では、携帯無線端末１３の４つの固有音量値Ｄｖｏｌ１［１］〜Ｄｖｏｌ１［４］を、それぞれ「停車時に好適な微小音量」、「低車速走行時に好適な少音量」、「中車速走行時に好適な中音量」、「高車速走行時に好適な最大音量」と定義し、それぞれ共通音量値Ｄｃｏｍ［１］、［７］、［１１］、［１５］を対応付けている。同様の観点から、車載無線端末１４の７つの固有音量値Ｄｖｏｌ２［１］〜Ｄｖｏｌ２［７］には、それぞれ共通音量値Ｄｃｏｍ［１］、［４］、［７］、［９］、［１１］、［１３］、［１５］を対応付けている。
【００３７】
図７において、ステップＳ１７１では、前記現在音量値記憶部１３１から現在の共通音量値Ｄｃｏｍ［９］が読み出される。ステップＳ１７２では、前記音量操作が増操作または減操作のいずれであるかが判定される。
【００３８】
増操作であれば、ステップＳ１７３において、図８に示したように、４つの固有音量値Ｄｖｏｌ１［１］〜Ｄｖｏｌ１［４］の中から、その対応共通音量値Ｄｃｏｍ（［１］、［７］、［１１］、［１５］）が現在の共通音量値Ｄｃｏｍ［９］と増側で最も接近した固有音量値Ｄｖｏｌ１が選択される。本実施形態では、固有音量値Ｄｖｏｌ１［１］の対応共通音量値Ｄｃｏｍが［１］、固有音量値Ｄｖｏｌ１［２］の対応共通音量値Ｄｃｏｍが［７］、固有音量値Ｄｖｏｌ１［３］の対応共通音量値Ｄｖｏｌが［１１］、固有音量値Ｄｖｏｌ１［４］の対応共通音量値が［１５］であり、固有音量値Ｄｖｏｌ１［３］の対応共通音量値Ｄｖｏｌ１［１１］が共通音量値Ｄｃｏｍ［９］と増側で最も接近しているので、固有音量値Ｄｖｏｌ１［３］が選択される。ステップＳ１７５では、前記選択された固有音量値Ｄｖｏｌ１［３］が共通音量値Ｄｃｏｍ［１１］に変換される。
【００３９】
一方、前記音量操作が減操作であれば、ステップＳ１７４において、図９に示したように、４つの固有音量値Ｄｖｏｌ１［１］〜Ｄｖｏｌ１［４］の中から、その対応共通音量値Ｄｃｏｍ（［１］、［７］、［１１］、［１５］）が現在の共通音量値Ｄｃｏｍ［９］と減側で最も接近した固有音量値Ｄｖｏｌ１［２］が、前記と同様にして選択される。ステップＳ１７５では、前記選択された固有音量値Ｄｖｏｌ１［２］が共通音量値Ｄｃｏｍ［７］に変換される。
【００４０】
図５へ戻り、以上のようにして増減後の共通音量値Ｄｃｏｍが求まると、ステップＳ１８では、前記増減後の共通音量値Ｄｃｏｍが前記音量値更新部１３４により現在音量値記憶部１３１へ更新登録される。その後、当該処理はステップＳ１２へ戻り、増減後の共通音量値Ｄｃｏｍに基づいて電子ボリューム３７の減衰率が制御される。ステップＳ１３では、前記増減後の共通音量値Ｄｃｏｍが音量値通知部１３５から車載無線端末１４へ通知される。
【００４１】
車載無線端末１４では、増減後の共通音量値Ｄｃｏｍを図６のステップＳ３４で受信すると、ステップＳ３５において、この共通音量値Ｄｃｏｍが音量値更新部１４４により現在音量値記憶部１４１に更新登録される。
【００４２】
一方、車載無線端末１４の音量スイッチ４９が操作され、これが図６のステップＳ３３で検知されると、ステップＳ３６では、前記携帯無線端末１３側と同様の「音量値増減処理」が、音量値変換部１４３において実行される。
【００４３】
図１０は、車載無線端末１４における「音量値増減処理」の動作を模式的に示した図であり、ここでは、現在の共通音量値Ｄｃｏｍが［７］の状態から音量スイッチ３９が増操作された場合を例にして、その動作を説明する。
【００４４】
本実施形態では、７つの固有音量値Ｄｖｏｌ２［１］〜Ｄｖｏｌ２［７］の中から、その対応共通音量値Ｄｃｏｍが現在の共通音量値Ｄｃｏｍ［７］と増側で最も接近した固有音量値Ｄｖｏｌ２が選択される。本実施形態では、固有音量値Ｄｖｏｌ２［１］の対応共通音量値Ｄｃｏｍが［１］、固有音量値Ｄｖｏｌ２［２］の対応共通音量値Ｄｃｏｍが［４］、固有音量値Ｄｖｏｌ２［３］の対応共通音量値Ｄｃｏｍが［７］、固有音量値Ｄｖｏｌ２［４］の対応共通音量値Ｄｃｏｍが［９］、固有音量値Ｄｖｏｌ２［５］の対応共通音量値Ｄｃｏｍが［１１］、固有音量値Ｄｖｏｌ２［６］の対応共通音量値Ｄｃｏｍが［１３］、固有音量値Ｄｖｏｌ２［７］の対応共通音量値Ｄｃｏｍが［１５］なので、固有音量値Ｄｖｏｌ２［４］が選択される。そして、固有音量値Ｄｖｏｌ２［４］の対応共通音量値Ｄｃｏｍである［９］が、増減後の共通音量値Ｄｃｏｍとして求められる。
【００４５】
ステップＳ３７では、増減後の共通音量値Ｄｃｏｍが、音量値更新部１４４によって、前記現在音量値記憶部１４１に更新登録される。ステップＳ３８では、増減後の共通音量値Ｄｃｏｍが音量値通知部１４５から携帯無線端末１３へ通知される。
【００４６】
携帯無線端末１３では、この共通音量値Ｄｃｏｍを図５のステップＳ１５で受信すると、ステップＳ１６において、この共通音量値Ｄｃｏｍが音量値更新部１３４により現在音量値記憶部１３１へ更新登録される。その後、当該処理はステップＳ１２へ戻り、更新後の共通音量値Ｄｃｏｍに基づいて電子ボリューム３７の減衰率が制御される。
【００４７】
【発明の効果】
本発明によれば、以下のような効果が達成される。
【００４８】
（１）リモートコントローラ（車載無線端末１４）からは、電子ボリュームの減衰率が共通スケール上の音量値Ｄｃｏｍで指示される。電子ボリューム制御装置（携帯無線端末１３）では、電子ボリュームの減衰率が固有スケール上の音量値Ｄｖｏｌ１で指示されるが、この固有音量値Ｄｖｏｌ１は共通音量値Ｄｃｏｍに変換され、電子ボリュームの減衰率は共通音量値Ｄｃｏｍに基づいて制御される。したがって、電子ボリューム制御装置は、自装置やリモートコントローラの汎用性を確保しながら、音量調節に関して固有スケールを採用できる。
【００４９】
（２）リモートコントローラ（車載無線端末１４）では、電子ボリュームの減衰率が固有スケール上の音量値Ｄｖｏｌ２で指示されるが、この固有音量値Ｄｖｏｌ１は共通音量値Ｄｃｏｍに変換されたのち、電子ボリューム制御装置（携帯無線端末１３）へ送信される。電子ボリューム制御装置では、電子ボリュームの減衰率が共通音量値Ｄｃｏｍに基づいて制御されるので、リモートコントローラでは、自装置や電子ボリューム制御装置の汎用性を確保しながら、音量調節に関して固有スケールを採用できる。
【図面の簡単な説明】
【図１】本発明を適用したインターコムによる通信形態の一例を示した図である。
【図２】本発明を適用した携帯無線端末の通信系統の構成を示したブロック図である。
【図３】本発明を適用した車載無線端末の通信系統の構成を示したブロック図である。
【図４】本発明を適用した携帯無線端末および車載無線端末の機能ブロック図である。
【図５】携帯無線端末の音量調節手順を示したフローチャートである。
【図６】車載無線端末の音量調節手順を示したフローチャートである。
【図７】本発明の音量調節方法を模式的に示した図（その１）である。
【図８】本発明の音量調節方法を模式的に示した図（その２）である
【図９】本発明の音量調節方法を模式的に示した図（その３）である
【図１０】本発明の音量調節方法を模式的に示した図（その４）である
【図１１】従来技術の課題を説明するための図である。
【図１２】従来技術の課題を説明するための図である。
【図１３】従来技術の課題を説明するための図である。
【符号の説明】１１…マイク，１２…スピーカ，１３…携帯無線端末，１４…車載無線端末，３１…ＲＦユニット，３２…ＢＴチップ，３３…ＣＰＵ，３４…ＲＯＭ，３５…ＲＡＭ，３６…入出力インターフェース，３７…電子ボリューム装置，３８…増幅器，３９…音量スイッチ
【図１】
2004112677.tif 000003
【図２】
2004112677.tif 000004
【図３】
2004112677.tif 000005
【図４】
2004112677.tif 000006
【図５】
2004112677.tif 000007
【図６】
2004112677.tif 000008
【図７】
2004112677.tif 000009
【図８】
2004112677.tif 000010
【図９】
2004112677.tif 000011
【図１０】
2004112677.tif 000012
【図１１】
2004112677.tif 000013
【図１２】
2004112677.tif 000014
【図１３】
2004112677.tif 000015
【手続補正書】
【提出日】平成15年8月1日(2003.8.1)
【手続補正１】
【補正対象書類名】明細書
【補正対象項目名】００３８
【補正方法】変更
【補正の内容】
【００３８】
増操作であれば、ステップＳ１７３において、図８に示したように、４つの固有音量値Ｄｖｏｌ１［１］〜Ｄｖｏｌ１［４］の中から、その対応共通音量値Ｄｃｏｍ（［１］、［７］、［１１］、［１５］）が現在の共通音量値Ｄｃｏｍ［９］と増側で最も接近した固有音量値Ｄｖｏｌ１が選択される。本実施形態では、固有音量値Ｄｖｏｌ１［１］の対応共通音量値Ｄｃｏｍが［１］、固有音量値Ｄｖｏｌ１［２］の対応共通音量値Ｄｃｏｍが［７］、固有音量値Ｄｖｏｌ１［３］の対応共通音量値Ｄｃｏｍが［１１］、固有音量値Ｄｖｏｌ１［４］の対応共通音量値が［１５］であり、固有音量値Ｄｖｏｌ１［３］の対応共通音量値Ｄｃｏｍ［１１］が共通音量値Ｄｃｏｍ［９］と増側で最も接近しているので、固有音量値Ｄｖｏｌ１［３］が選択される。ステップＳ１７５では、前記選択された固有音量値Ｄｖｏｌ１［３］が共通音量値Ｄｃｏｍ［１１］に変換される。